(57)【要約】【課題】穀粒タンクや後処理装置を回動させた際に尿素水補給口が他部材に接触して破損することを防止できるコンバインを提供する。【解決手段】茎稈から脱穀された穀粒を貯留する穀粒タンク４と、穀粒タンク４内の穀粒を排出搬送する縦送り搬送コンベア１０と、縦送り搬送コンベア１０の外周の一部を覆う開閉可能な第２カバー体１８と、脱穀済みの茎稈を処理する後処理装置６と、縦送り搬送コンベア１０の近傍に立設され、機体に対して後処理装置６を回動可能に支持する支持フレーム１４と、を備えるコンバイン１であって、排気ガスの浄化に用いる尿素水を貯留する尿素水タンク３６と、尿素水タンク３６に尿素水を補給するための尿素水補給口３７と、をさらに備え、尿素水補給口３７は、縦送り搬送コンベア１０と支持フレーム１４との間に配置され、開閉可能な第２カバー体１８で覆われる。【選択図】図３
2019205381.tif 000002
【特許請求の範囲】
【請求項１】
機体に対して回動可能に支持され、茎稈から脱穀された穀粒を貯留する穀粒タンクと、
前記穀粒タンクの後方に立設され、前記穀粒タンク内の穀粒を排出搬送する縦送り搬送コンベアと、
前記縦送り搬送コンベアの外周の一部を覆う開閉可能なカバー体と、
脱穀済みの茎稈を処理する後処理装置と、
前記縦送り搬送コンベアの近傍に立設され、機体に対して前記後処理装置を回動可能に支持する支持フレームと、を備えるコンバインであって、
排気ガスの浄化に用いる尿素水を貯留する尿素水タンクと、
前記尿素水タンクに尿素水を補給するための尿素水補給口と、をさらに備え、
前記尿素水補給口は、前記縦送り搬送コンベアと前記支持フレームとの間に配置され、前記カバー体で覆われることを特徴とするコンバイン。
【請求項２】
前記尿素水補給口は、前記支持フレームで支持されることを特徴とする請求項１に記載のコンバイン。
【請求項３】
前記尿素水補給口には、尿素水から周囲の部材を保護する保護手段が設けられていることを特徴とする請求項１又は２に記載のコンバイン。
【発明の詳細な説明】
【技術分野】
【０００１】
本発明は、尿素水タンク及び尿素水補給口を備えるコンバインに関する。
【背景技術】
【０００２】
エンジンから排出される排気ガスの浄化を目的とし、排気ガス中の窒素酸化物を尿素水を用いて浄化する窒素酸化物浄化装置（ＳＣＲ：Ｓｅｌｅｃｔｉｖｅ  Ｃａｔａｌｙｔｉｃ  Ｒｅｄｕｃｔｉｏｎ）を備えたコンバインが知られている（例えば、特許文献１参照）。この種のコンバインには、尿素水を貯留する尿素水タンクが設けられ、該尿素水タンクから窒素酸化物浄化装置に尿素水が供給される。また、尿素水タンクには、尿素水補給口が接続されており、該尿素水補給口を介して尿素水タンクに尿素水が補給される。
【先行技術文献】
【特許文献】
【０００３】
【特許文献１】特開２０１６−１８５１２８号公報
【発明の概要】
【発明が解決しようとする課題】
【０００４】
しかしながら、特許文献１のコンバインでは、穀粒タンクの後部に尿素水タンク及び尿素水補給口が設けられているので、尿素水補給口が他部材に接触したり挟まれたりして破損する虞がある。例えば、特許文献１のコンバインでは、穀粒タンクが機体に対して回動可能に支持されているため、穀粒タンクを回動させた際、尿素水補給口も一体的に回動して他部材に接触する可能性がある。
【課題を解決するための手段】
【０００５】
本発明は、上記の如き実情に鑑みこれらの課題を解決することを目的として創作されたものであって、請求項１の発明は、機体に対して回動可能に支持され、茎稈から脱穀された穀粒を貯留する穀粒タンクと、前記穀粒タンクの後方に立設され、前記穀粒タンク内の穀粒を排出搬送する縦送り搬送コンベアと、前記縦送り搬送コンベアの外周の一部を覆う開閉可能なカバー体と、脱穀済みの茎稈を処理する後処理装置と、前記縦送り搬送コンベアの近傍に立設され、機体に対して前記後処理装置を回動可能に支持する支持フレームと、を備えるコンバインであって、排気ガスの浄化に用いる尿素水を貯留する尿素水タンクと、前記尿素水タンクに尿素水を補給するための尿素水補給口と、をさらに備え、前記尿素水補給口は、前記縦送り搬送コンベアと前記支持フレームとの間に配置され、前記カバー体で覆われることを特徴とする。
請求項２の発明は、請求項１に記載のコンバインにおいて、前記尿素水補給口は、前記支持フレームで支持されることを特徴とする。
請求項３の発明は、請求項１又は２に記載のコンバインにおいて、前記尿素水補給口には、溢れた尿素水から周囲の部材を保護する保護手段が設けられていることを特徴とする。
【発明の効果】
【０００６】
請求項１の発明によれば、尿素水補給口は、縦送り搬送コンベアと支持フレームとの間に配置されるので、穀粒タンクや後処理装置を回動させた際に尿素水補給口が他部材に接触して破損することを防止できる。また、尿素水補給口は、開閉可能なカバー体で覆われているので、藁や雑草の引っ掛かりや、藁屑や埃の堆積を防止できる。
請求項２の発明によれば、尿素水補給口は、機体に対して後処理装置を回動可能に支持する支持フレームで支持されるので、尿素水補給口を確実に支持することができ、その結果、尿素水補給口や、尿素水補給口と尿素水タンクとを接続する配管の変形や劣化を抑制できる。
請求項３の発明によれば、尿素水補給口には、尿素水から周囲の部材を保護する保護手段が設けられているので、尿素水補給口から尿素水が溢れたり、飛び散ったりしたとしても、周囲の部材を尿素水による腐食などから保護することができるだけでなく、尿素水補給口の周囲に付着した尿素水を水洗いしたり、拭き取ったりする作業も不要になる。
【図面の簡単な説明】
【０００７】
【図１】コンバインの右側面図である。
【図２】コンバインの平面図である。
【図３】コンバインの穀粒タンク及び後処理装置を回動させた要部平面図である。
【図４】（ａ）はコンバインのカバー体開き状態を示す要部背面図、（ｂ）はロック装置の斜視図である。
【図５】コンバインのカバー体取外し状態を示す要部右側面図である。
【図６】コンバインの要部分解右側面図である。
【図７】コンバインの尿素水補給時を示す要部平面図である。
【発明を実施するための形態】
【０００８】
以下、本発明の実施の形態について、図面に基づいて説明する。図１〜図７において、１はコンバインであって、該コンバイン１は、茎稈を刈り取る前処理部２と、刈り取った茎稈から穀粒を脱穀して選別する脱穀部３と、選別した穀粒を貯溜する穀粒タンク４と、穀粒タンク４内の穀粒を排出搬送する排出オーガ５と、脱穀済みの排稈を後処理する後処理装置６と、オペレータが乗車する操縦部７と、クローラ式の走行部８と、を備える。
【０００９】
穀粒タンク４の底部には、前後方向に沿う排出ラセン（図示せず）が内装されており、該排出ラセンの回転駆動に応じて穀粒タンク４内の穀粒がタンク後部から排出される。穀粒タンク４の後部には、エルボケース９を介して縦送り搬送コンベア１０が回動自在に連結され、さらに、縦送り搬送コンベア１０の上端部には、横送り搬送コンベア１１が上下回動自在に連結されている。縦送り搬送コンベア１０及び横送り搬送コンベア１１は、円筒部材に排出ラセンと同等のラセン搬送体を回転可能に内装して構成されており、排出用油圧モータＭによってこれらのラセン搬送体が排出ラセンと一連状に回転駆動されることにより、穀粒タンク４内の穀粒が縦送り搬送コンベア１０及び横送り搬送コンベア１１を介して横送り搬送コンベア１１の先端排出口１１ａまで排出搬送される。
【００１０】
また、図４〜図６に示すように、縦送り搬送コンベア１０には、旋回用電動モータ１２が連繋されており、該旋回用電動モータ１２の回転駆動に応じて縦送り搬送コンベア１０及び横送り搬送コンベア１１が一体的に旋回作動される。本実施形態の旋回用電動モータ１２は、縦送り搬送コンベア１０の後方で、且つ機体フレーム１３の後端部に立設される支持フレーム１４に設けられるとともに、縦送り搬送コンベア１０の外周部に固設される旋回用ギア１５と噛合するピニオンギア（図示せず）を有し、該ピニオンギアの回転駆動に基づいて縦送り搬送コンベア１０及び横送り搬送コンベア１１が一体的に旋回させる。
【００１１】
また、縦送り搬送コンベア１０の上端部と横送り搬送コンベア１１の基端部との間には、昇降用電動シリンダ１６が介設されており、該昇降用電動シリンダ１６の伸縮に応じて横送り搬送コンベア１１の昇降作動が行われる。
【００１２】
図３に示すように、穀粒タンク４は、機体に対し、縦送り搬送コンベア１０を中心として水平方向に回動可能に支持されている。穀粒タンク４を通常位置（図３に実線で示す位置）から機体外方に退避する退避位置（図３に仮想線で示す位置）に回動操作すると、穀粒タンク４の底面部及び左側面部が露出し、穀粒タンク４のメンテナンスが容易になるだけでなく、機体の中心部も広く開放され、機体中心部のメンテナンスも容易になる。
【００１３】
また、本実施形態の穀粒タンク４には、第１カバー体１７及び第２カバー体１８（カバー体）が設けられている。図１、図４〜図６に示すように、第１カバー体１７は、穀粒タンク４の右側面下部、エルボケース９及び縦送り搬送コンベア１０（下端部）の右側方を覆う着脱可能なカバーであり、穀粒タンク４側に設けられる側面視コ字状の棒材１９に対して係合する左右一対のプレート部材２０及びロック装置２１を備える。プレート部材２０は、棒材１９の下側係合部１９ａに上方から係合する係合溝２０ａを有し、第１カバー体１７に固定されている。ロック装置２１は、第１カバー体１７に上下回動可能に設けられ、図示しないスプリングの付勢力で棒材１９の上側係合部１９ｂに下方から係合するフック２１ａを備える。また、ロック装置２１には、把手２１ｂが設けられており、該把手２１ｂを引き操作すると、フック２１ａが下方に回動して棒材１９との係合が解除され、第１カバー体１７の取り外しが可能になる。
【００１４】
図１、図３、図４及び図７に示すように、第２カバー体１８は、縦送り搬送コンベア１０（中間部）の右側方を覆う開閉可能なカバーであり、カバー本体２２と、蝶番２３と、ロック装置２４と、を備える。カバー本体２２は、前後方向に沿う側壁部２２ａと、側壁部２２ａの後端部から左側方に延出する後壁部２２ｂとを有する平面視Ｌ字状のプレート部材である。蝶番２３は、カバー本体２２の側壁部２２ａの前端部を穀粒タンク４の後端部に対して回動可能に連結している。ロック装置２４は、カバー本体２２の後壁部２２ｂに設けられる。ロック装置２４は、支持フレーム１４に設けられる棒材２６に対して係合し、第２カバー体１８の回動を閉じ位置でロックするフック２４ａと、該フック２４ａを回動可能に支持する蝶番２４ｂと、フック２４ａを係合方向に付勢するスプリング２４ｃと、フック２４ａに一体的に設けられた把手２４ｄと、を備える。把手２４ｄを引き操作すると、フック２４ａが回動して棒材２６との係合が解除され、第２カバー体１８の開き操作が可能になる。
【００１５】
前述した支持フレーム１４は、後処理装置６の一端部を前後方向回動可能に支持するためのフレームであり、図４〜図６に示すように、縦送り搬送コンベア１０の後方で、且つ機体フレーム１３の後端部に立設される左右一対の支柱部２７、２８と、左右の支柱部２７、２８を連結する複数の梁部２９と、を備える。複数の梁部２９には、それぞれブラケット３０と、該ブラケット３０から上方に延出する回動支軸３１と、が設けられている。一方、後処理装置６は、回動支軸３１に回動可能に連結される複数のブラケット３２を一端部に有し、回動支軸３１を支点として前後方向に回動可能となっている。このような後処理装置６によれば、通常位置（図３に実線で示す位置）から機体後方に退避する退避位置（図３に仮想線で示す位置）に回動操作することにより、脱穀部３の後面部及び後処理装置６の前面部が開放されるので、脱穀部３及び後処理装置６のメンテナンスが容易になる。
【００１６】
図３及び図７に示すように、コンバイン１の機体後部には、燃料を貯留し、該燃料をエンジン搭載部３３に配置されるエンジン（図示せず）に供給する燃料タンク３４と、燃料タンク３４に燃料を補給するための燃料補給口３５と、エンジン排気の浄化に用いる尿素水を貯留し、該尿素水をエンジン搭載部３３に配置される窒素酸化物浄化装置（図示せず）に供給する尿素水タンク３６と、尿素水タンク３６に尿素水を補給するための尿素水補給口３７と、が配置されている。
【００１７】
燃料タンク３４は、脱穀部３の後部下方空間に配置されている。燃料タンク３４の左端部には、上方左外側方に延出する配管３８を介して燃料補給口３５が接続されている。
【００１８】
図３に示すように、尿素水タンク３６は、機体後部の左右方向中央部で、且つ穀粒タンク４の後部下方空間に配置されている。具体的には、機体フレーム１３の後端部左右中間位置に尿素水タンク３６の載置台１３ａを設けるとともに、該載置台１３ａに載置された尿素水タンク３６を複数のゴムバンド３６ａを介して機体フレーム１３に固定している。また、尿素水タンク３６の上面後端部には、上方右外側方に延出する配管３９を介して尿素水補給口３７が接続されている。
【００１９】
このような配置構成によれば、エンジン等の熱源の近くや、太陽光が直接当たる場所を避けて尿素水タンク３６を配置できるので、尿素水タンク３６に貯留される尿素水の温度を適正に管理できる。また、尿素水タンク３６は、機体後部の左右方向中央部に配置されるので、機体の左右バランスに影響を与えないだけでなく、前バランス傾向にあるコンバイン１の前後バランスを改善することができる。
【００２０】
また、燃料補給口３５と尿素水補給口３７は、左右方向に互いに離間するように配置されているので、燃料補給口３５に誤って尿素水を補給したり、尿素水補給口３７に誤って燃料を補給することを防止できる。
【００２１】
図４及び図５に示すように、尿素水補給口３７は、縦送り搬送コンベア１０と支持フレーム１４との間で、且つ第２カバー体１８で覆われる位置に配置されている。具体的には、縦送り搬送コンベア１０の右端部と、支持フレーム１４の右側支柱２８との間に存在する空間を利用して尿素水補給口３７が配置されている。このような配置構成によれば、穀粒タンク４や後処理装置６を回動させた際に尿素水補給口３７が他部材に接触して破損することを防止できるだけでなく、開閉可能な第２カバー体１８で覆われることで、藁や雑草の引っ掛かりや、藁屑や埃の堆積を防止できる。
【００２２】
また、尿素水補給口３７は、補給口ブラケット４０を介して支持フレーム１４で支持されている。即ち、尿素水補給口３７は、機体側に固定され、且つ機体に対して後処理装置６を回動可能に支持する支持フレーム１４で支持されるので、機体に対して可動する部材で支持する場合に比べ、尿素水補給口３７を確実に支持することができ、その結果、尿素水補給口３７や、尿素水補給口３７と尿素水タンク３６とを接続する配管３９の変形や劣化を抑制できる。また、前述したように尿素水タンク３６も機体側（機体フレーム１３）に固定されているので、尿素水補給口３７と尿素水タンク３６とを接続する配管３９の変形や劣化をさらに抑制できる。
【００２３】
具体的に説明すると、本実施形態の尿素水補給口３７は、図６に示すように、補給口部材４１及びキャップ部材４２を備えて構成されている。補給口部材４１は、上向きに開口し、補給する尿素水を受け入れる補給口部４１ａと、補給口部４１ａと連通し、配管３９が接続される配管接続部４１ｂと、複数のボルトＢ１を介して補給口ブラケット４０に固定される固定部４１ｃと、を備えており、補給口部４１ａがキャップ部材４２の着脱に基づいて開閉される。補給口部材４１は、補給口部４１ａが右斜め上方で、且つ第２カバー体１８の側壁部２２ａを向くように配置されている。したがって、図７に示すように、第２カバー体１８を開き操作すると、第２カバー体１８によって開放された空間を介して尿素水容器Ｔから尿素水補給口３７に尿素水を容易に補給することが可能になる。なお、尿素水補給時に第１カバー体１７が邪魔になる場合は、第１カバー体１７を取り外すようにしてもよい。
【００２４】
補給口ブラケット４０は、補給口部材４１の配管接続部４１ｂが挿通される挿通孔４０ａを有し、且つ補給口部材４１の固定部４１ｃが固定されるブラケット本体４０ｂと、ブラケット本体４０ｂに溶着されるＬ字状の連結部材４０ｃと、を備える。一方、支持フレーム１４の右側支柱部２８にもＬ字状の連結部材２８ａが溶着されており、連結部材２８ａ、４０ｃ同士をボルトＢ２で締結することにより、補給口ブラケット４０が支持フレーム１４の右側支柱部２８に固定支持される。
【００２５】
図４〜図６に示すように、尿素水補給口３７には、補給時に溢れた尿素水から周囲の部材を保護するための保護部材４３（保護手段）が設けられている。例えば、本実施形態の保護部材４３は、前述したエルボケース９、縦送り搬送コンベア１０の基端部、旋回用電動モータ１２、旋回用ギア１５及び排出用油圧モータＭに加え、オイルフィルタＦなどの右側方を覆っている。このような保護部材４３によれば、尿素水補給口３７から尿素水が溢れたり、飛び散ったりしたとしても、周囲の部材を尿素水による腐食などから保護することができるだけでなく、尿素水補給口３７の周囲に付着した尿素水を水洗いしたり、拭き取ったりする作業も不要になる。
【００２６】
具体的に説明すると、本実施形態の保護部材４３は、尿素水の付着によって腐食などの影響を受けない樹脂製で、且つ可撓性を有するシート部材４４を用いて構成されており、補給口部材４１の固定部４１ｃを補給口ブラケット４０のブラケット本体４０ｂに固定する際、補給口部材４１の固定部４１ｃと補給口ブラケット４０のブラケット本体４０ｂとの間で挟持状に支持される。つまり、補給口部材４１の固定部４１ｃを補給口ブラケット４０のブラケット本体４０ｂに固定する際、シート部材４４の上端部後端側に形成される挿通孔４４ａを介して補給口部材４１の配管接続部４１ｂをブラケット本体４０ｂの挿通孔４１ａに挿通するとともに、挿通孔４４ａの周縁部が補給口部材４１の固定部４１ｃと補給口ブラケット４０のブラケット本体４０ｂとの間に挟まれた状態で補給口部材４１の固定部４１ｃを補給口ブラケット４０のブラケット本体４０ｂに固定することにより、保護部材４３を構成するシート部材４４が尿素水補給口３７に取り付けられる。なお、保護部材４３を構成する材料は、樹脂に限らず、尿素水の付着によって腐食などの影響を受けない金属（例えば、ステンレス材料）であってもよい。
【００２７】
図６に示すように、本実施形態の保護部材４３は、クランプ孔４４ｂと、骨材４５、４６と、集水ガイド溝４４ｃ、４４ｄと、を備える。クランプ孔４４ｂは、クランプ４７を挿通するための孔であり、シート部材４４の後端部上側に複数形成されている。クランプ４７は、シート部材４４のクランプ孔４４ｂに挿通されるとともに、支持フレーム１４（右側支柱部２８）に固定される。これにより、シート部材４４の後端部上側がクランプ４７を支持フレーム１４（右側支柱部２８）に支持され、シート部材４４の後端側の変形が抑制される。
【００２８】
骨材４５、４６は、例えば金属板からなり、シート部材４４の上辺に沿って設けられる第１骨材４５と、シート部材４４の前側側辺に沿って設けられる第２骨材４６と、を含む。このような骨材４５、４６によれば、シート部材４４の上端側及び前端側の変形が抑制される。
【００２９】
集水ガイド溝４４ｃ、４４ｄは、シート部材４４の表面に形成される溝又は凸条であり、挿通孔４４ａからシート部材４４の下端部に至る第１集水ガイド溝４４ｃと、第１集水ガイド溝４４ｃから分岐し、斜め上方に延出する複数の第２集水ガイド溝４４ｄと、を含む。このような集水ガイド溝４４ｃ、４４ｄによれば、シート部材４４の表面に溢れた尿素水を複数の第２集水ガイド溝４４ｄによって第１集水ガイド溝４４ｃに集めるとともに、第１集水ガイド溝４４ｃを介してシート部材４４の下端部から排水することができる。
【００３０】
叙述の如く構成された本実施形態によれば、機体に対して回動可能に支持され、茎稈から脱穀された穀粒を貯留する穀粒タンク４と、穀粒タンク４の後方に立設され、穀粒タンク４内の穀粒を排出搬送する縦送り搬送コンベア１０と、縦送り搬送コンベア１０の外周の一部を覆う開閉可能な第２カバー体１８と、脱穀済みの茎稈を処理する後処理装置６と、縦送り搬送コンベア１０の後方に所定の間隔を介して立設され、機体に対して後処理装置６を回動可能に支持する支持フレーム１４と、を備えるコンバイン１であって、排気ガスの浄化に用いる尿素水を貯留する尿素水タンク３６と、尿素水タンク３６に尿素水を補給するための尿素水補給口３７と、をさらに備え、尿素水補給口３７は、縦送り搬送コンベア１０と支持フレーム１４との間に配置されるので、穀粒タンク４や後処理装置６を回動させた際に尿素水補給口３７が他部材に接触して破損することを防止できる。また、尿素水補給口３７は、開閉可能な第２カバー体１８で覆われているので、藁や雑草の引っ掛かりや、藁屑や埃の堆積を防止できる。
【００３１】
また、尿素水補給口３７は、機体に対して後処理装置６を回動可能に支持する支持フレーム１４で支持されるので、尿素水補給口３７を確実に支持することができ、その結果、尿素水補給口３７や、尿素水補給口３７と尿素水タンク３６とを接続する配管３９の変形や劣化を抑制できる。
【００３２】
また、尿素水補給口３７には、尿素水から周囲の部材を保護する保護部材４３が設けられているので、尿素水補給口３７から尿素水が溢れたり、飛び散ったりしたとしても、周囲の部材を尿素水による腐食などから保護することができるだけでなく、尿素水補給口３７の周囲に付着した尿素水を水洗いしたり、拭き取ったりする作業も不要になる。
【００３３】
なお、本発明は前記実施形態に限定されるものではなく、特許請求の範囲に記載された本発明の要旨の範囲内において、種々の変形、変更が可能である。例えば、本実施形態のコンバイン１は、保護手段としてシート部材４４からなる保護部材４３を備えるが、保護手段は、尿素水補給口３７の下方に配置される受皿のような部材であってもよい。また、尿素水タンク３６に尿素水の貯留量を検出するセンサを設けるともともに、尿素水の満量検出に応じて警報を行う満量警報手段を設けてもよい。このようにすると、尿素水補給時における尿素水の溢れを防止できる。
【符号の説明】
【００３４】
１  コンバイン
４  穀粒タンク
６  後処理装置
１０  縦送り搬送コンベア
１８  第２カバー体
３６  尿素水タンク
３７  尿素水補給口
３９  配管
４３  保護部材
４４  シート部材
【図１】
2019205381.tif 000003
【図２】
2019205381.tif 000004
【図３】
2019205381.tif 000005
【図４】
2019205381.tif 000006
【図５】
2019205381.tif 000007
【図６】
2019205381.tif 000008
【図７】
2019205381.tif 000009